(57)【要約】【課題】操作者の不快感を和らげ疲労を緩和できる遊技機用操作ハンドルを提供する。【解決手段】この遊技機用操作ハンドル１は、遊技機本体に固定される後方基部材２、後方基部材２に対して回動可能な回動操作部材３、回動操作部材３を挟んで後方基部材２に固定される前方基部材４、を有するものにおいて、前方基部材４の表面の少なくとも一部に、炭素粉を焼成した多孔質の成型体（例えば、黒鉛をポーラス状に焼成したもの、炭化物を焼成したもの）４２を配設してなる。【選択図】図３
2008167771.tif 000002
【特許請求の範囲】
【請求項１】
遊技機本体に取り付けられる後方基部材、該後方基部材に対して回動可能な回動操作部材、該回動操作部材を挟んで前記後方基部材に取り付けられる前方基部材、を有する遊技機用操作ハンドルにおいて、
該前方基部材の表面の少なくとも一部に、炭素粉を焼成した多孔質の成型体を配設してなることを特徴とする遊技機用操作ハンドル。
【請求項２】
請求項１に記載された遊技機用操作ハンドルにおいて、
前記成型体は黒鉛をポーラス状に焼成したものであることを特徴とする遊技機用操作ハンドル。
【請求項３】
請求項１に記載された遊技機用操作ハンドルにおいて、
前記成型体は炭化物を焼成したものであることを特徴とする遊技機用操作ハンドル。
【請求項４】
請求項１乃至３のいずれかに記載された遊技機用操作ハンドルにおいて、
前記成型体は銀を含有することを特徴とする遊技機用操作ハンドル。
【請求項５】
請求項１乃至４のいずれかに記載された遊技機用操作ハンドルにおいて、
前記成型体はフタロシアニンを含有することを特徴とする遊技機用操作ハンドル。
【請求項６】
請求項１乃至５のいずれかに記載された遊技機用操作ハンドルにおいて、
前記成型体はアース線に電気的に接続されていることを特徴とする遊技機用操作ハンドル。
【発明の詳細な説明】
【技術分野】
【０００１】
本発明は、パチンコ機等の遊技機に用いられる遊技機用操作ハンドルに関する。
【背景技術】
【０００２】
従来より、不特定多数の人が操作する遊技機用操作ハンドルに関して種々の提案がなされている。例えば、特許文献１では、付着した雑菌を死滅せしめるための抗菌層を有した遊技機用操作ハンドルが提案されている。
【０００３】
【特許文献１】特開平８−１４１１４８号公報
【発明の開示】
【発明が解決しようとする課題】
【０００４】
しかし、遊技機の操作に関しては、雑菌の問題の他に、周囲のタバコの煙や臭い、手の汗、長時間変わらない操作者の手やその他身体の姿勢、などが不快感や疲労を生じさせ易いという問題がある。
【０００５】
本発明は、係る事由に鑑みてなされたものであり、その目的は、操作者の不快感を和らげ疲労を緩和できる遊技機用操作ハンドルを提供することにある。
【課題を解決するための手段】
【０００６】
上記目的を達成するために、請求項１に記載の遊技機用操作ハンドルは、遊技機本体に固定される後方基部材、該後方基部材に対して回動可能な回動操作部材、該回動操作部材を挟んで前記後方基部材に固定される前方基部材、を有する遊技機用操作ハンドルにおいて、該前方基部材の表面の少なくとも一部に、炭素粉を焼成した多孔質の成型体を配設してなることを特徴とする。
【０００７】
請求項２に記載の遊技機用操作ハンドルは、請求項１に記載された遊技機用操作ハンドルにおいて、前記成型体は黒鉛をポーラス状に焼成したものであることを特徴とする。
【０００８】
請求項３に記載の遊技機用操作ハンドルは、請求項１に記載された遊技機用操作ハンドルにおいて、前記成型体は炭化物を焼成したものであることを特徴とする。
【０００９】
請求項４に記載の遊技機用操作ハンドルは、請求項１乃至３のいずれかに記載された遊技機用操作ハンドルにおいて、前記成型体は銀を含有することを特徴とする。
【００１０】
請求項５に記載の遊技機用操作ハンドルは、請求項１乃至４のいずれかに記載された遊技機用操作ハンドルにおいて、前記成型体はフタロシアニンを含有することを特徴とする。
【００１１】
請求項６に記載の遊技機用操作ハンドルは、請求項１乃至５のいずれかに記載された遊技機用操作ハンドルにおいて、前記成型体はアース線に電気的に接続されていることを特徴とする。
【発明の効果】
【００１２】
本発明の遊技機用操作ハンドルによれば、前方基部材の表面の少なくとも一部に、炭素粉を焼成した多孔質の成型体を配設したので、操作者が操作するとき、脱臭及び汗の吸収により不快感が和らぎ、疲労も緩和される。
【発明を実施するための最良の形態】
【００１３】
以下、本発明を実施するための最良の形態を図面を参照しながら説明する。図１、図２、図３はそれぞれ、本発明の実施形態に係る遊技機用操作ハンドル１の正面図、側面図、側面視断面図である。この遊技機用操作ハンドル１は、パチンコ台等の遊技機本体（図示せず）に取り付けられるものであり、基本構成部材として、ビス等で遊技機本体に取り付けられる後方基部材２、後方基部材２に対して回動可能な回動操作部材３、回動操作部材３を挟んで後方基部材２に取り付けられる前方基部材４、を有する。後方基部材２と回動操作部材３は既存のものが適用可能であり、例えば強固な樹脂などの素材から形成される。
【００１４】
後方基部材２の内部には、回動操作部材３の回動を検出する回動検出機構２１ａ、２１ｂやその検出信号を遊技機本体に送出するための電気配線２２が含まれる。
【００１５】
回動操作部材３の外周には、図１に示すように、操作者により操作され易いよう所々に隆起部３ａ、３ａ、・・・が形成されている。中心部には、前記の回動検出機構の回動軸２１ｂが回動操作部材３とともに回動するようにして挿入される筒部３ｂが形成されている。筒部３ｂの外周には、復帰バネ（図示せず）が巻かれている。
【００１６】
前方基部材４は回動操作部材３を前方から覆い、操作されるときには操作者の手（指又は掌）が当る箇所である。前方基部材４は、その骨格を形成する骨格部４１、骨格部４１の前方に配設される手当接部４２、を有し、骨格部４１と手当接部４２は接着剤やビスなどで固着される。なお、骨格部４１も手当接部４２も、正面視円形状である。
【００１７】
骨格部４１は、例えば強固な樹脂などの素材から形成される。骨格部４１は、後方基部材取付部４１ａ、４１ａ、・・・において、後方基部材２の前方基部材取付部２ａ、２ａ、・・・にビスにより取り付けられる。また、回動操作部材嵌込部４１ｂにおいて、回動操作部材３の筒部３ｂの外周に回動操作部材３が回動自在なように嵌め込まれている。
【００１８】
手当接部４２は、炭素粉を焼成した成型体である。手当接部４２の表面は、摩耗や欠損の防止及び炭素粉の定着のために、水性アクリル等でコーティングされている。
【００１９】
手当接部４２の成型体の第１の例は、黒鉛をポーラス状に焼成したものである。手当接部４２に黒鉛を用いたものは、後述の炭化物に比べて物理的強度が高い。また、ポーラス状の黒鉛は、炭化物ほどではないが、多くの空隙を有する（多孔質である）。具体的には、以下のようにして製造することができる。
【００２０】
黒鉛の炭素粉にフェノール系接着剤、ピッチ又はタールなどのバインダを５重量％程度加え、繊維状又は粒子の集合状にして固め、所定の塊（例えば方形もの）に加圧成形する。そして、酸素が欠乏した状態で加熱して２０００〜３０００℃程度で焼成し、それから手当接部４２の形状に加工する。この成型体は、黒鉛の炭素粉を繊維状又は粒子の集合状にして固めて焼成しているので、多孔質になる。また、フェノール成分、ピッチ又はタールは約１２００℃以上で揮発するので、手当接部４２はほぼ１００％が炭素粉から形成されることになる。
【００２１】
手当接部４２の成型体の第２の例は、竹炭、木炭などの炭化物を焼成したものである。手当接部４２に炭化物を用いたものは、非常に多くの空隙を有する多孔質であり、例えば竹炭の炭化物では、１ｃｍ３あたり総表面積が２０アールにもなる。具体的には、以下のようにして製造することができる。
【００２２】
炭化物の炭素粉を全体の約４０〜５０重量％、バインダとしてのセピオライトを同じく約６０〜５０重量％として混合し、手当接部４２の形状に成形する。そして、酸素が欠乏した状態で加熱して約８００℃以上で焼成する。この第２の例では、比較的焼成の温度が低く、従前の炉が利用できる。炭化物の全体に占める割合が大きい程、多くの空隙を有するようになるが、大きすぎると物理的な強度、例えば、押圧などに対する強度が低下する。なお、セピオライト自体も、空隙の表面積は小さいものの、多孔質であり、炭化物の多孔質の効果に相乗することができる。
【００２３】
炭化物の炭素粉には、物理的な強度の向上のために、黒鉛を加えておいてもよい。黒鉛を加えることにより、空隙以外の部分を太く又は高密度にする。
【００２４】
次に、遊技機用操作ハンドル１の作用について説明する。
【００２５】
操作者が遊技機用操作ハンドル１を操作するとき、タバコの煙や臭い、操作中に手に発生する汗は、不快感や疲労の原因となる。かかる状況において手当接部４２は、多くの空隙に、例えばアンモニア、硫化水素又はニコチンのような臭い成分を吸着（脱臭作用）したり、手の汗を吸収したり汗の臭いを吸着したりする。こうして、脱臭及び汗の吸収により、不快感が和らぎ、疲労も緩和される。
【００２６】
また、炭素粉は、光や熱としての外部エネルギーを吸収して遠赤外線を放射する。この放射は常温においても行われるが、手の熱によって温度が上昇すれば更に量は多くなる。これにより、血液循環が促進され、リラックス効果を奏する。また、特開２００６−７５５７に記載されているように、炭素粉は脳のα波を増加させる効果があることが本願発明者により確認されており、それによってもリラックス効果を奏して疲労が緩和される。
【００２７】
次に、手当接部４２の更に望ましい例を説明する。
【００２８】
手当接部４２は、銀を含有する（例えば約１重量％）ことが望ましい。人間の汗の臭いは、主に、雑菌が汗を分解することにより生じることが知られている。手当接部４２は、前述のように、手の汗を吸収することによって不快感を和らげ疲労も緩和するとともに、銀の抗菌作用により雑菌を抑えて吸着した汗から臭いが生じるのを防止することができる。また、手当接部４２の表面の銀が手の雑菌に対して直接抗菌作用を及ぼす効果もある。これらの銀の効果は、不特定多数の人が手当接部４２に触れることを考慮すると、非常に有効である。なお、銀は、溶液に溶解又は分散させ、含浸させることにより手当接部４２に含ませることができる。
【００２９】
また、手当接部４２は、フタロシアニンを含有する（例えば約１重量％）のが望ましい。フタロシアニンは、臭いの成分の酸化反応を触媒することで、消臭作用を発揮する。手当接部４２は、前述のように、臭いを吸着することによって不快感を和らげ疲労も緩和するとともに、フタロシアニンを含有することで、炭素粉の空隙に吸着した臭いの成分を別の物質に変えることができるので、脱臭作用の飽和を防ぎつつ、それに加えて消臭作用も奏することができる。このフタロシアニンは、常温でもよく反応し、サイクル反応を行うので寿命が長い。これにより、遊技機の寿命と同様の長い期間、脱臭機能を維持することができる。なお、フタロシアニンは、例えば金属フタロシアニンポリカルボン酸（具体的には、テトラカルボン酸コバルトフタロシアニン、テトラカルボン酸鉄フタロシアニン、オクタカルボン酸コバルトフタロシアニン、又はオクタカルボン酸鉄フタロシアニン等）などの化合物として存在する。また、フタロシアニンの化合物は、溶液に溶解又は分散させ、含浸させることにより手当接部４２に含ませることができる。
【００３０】
次に、遊技機用操作ハンドル１の構造の変形例を説明する。この変形例では、手当接部４２を後方基部材２の電気配線２２中のアース線に電気的に接続するようにする。具体的な例としては、骨格部４１を貫通して手当接部４２に到達する導体を用い、その導体からアース線に配線する。なお、黒鉛の抵抗率は１×１０−２Ω・ｃｍ程度であり、導電性は導体の下位くらいである。また、炭化物の抵抗率は１×１０−１〜１×１０８Ω・ｃｍ程度に分布しており、絶縁体と導体（金属等）の中間の導電性を有する。なお、前述のように黒鉛を加えると導電性も向上する。
【００３１】
遊技機用操作ハンドル１の操作に伴う摩擦、長時間変わらない操作者の手やその他身体の姿勢など、により操作者には静電気が帯電し易く、帯電した静電気は疲労を蓄積させる。かかる状況において手当接部４２は、絶縁体よりも導電性が高く、そのため操作者が手当接部４２を握ることにより、人体に帯電した静電気は手当接部４２から常に放電される。したがって、操作者は、静電気が除去されることで疲れにくくなる。
【００３２】
以上、本発明の実施形態に係る遊技機用操作ハンドルについて説明したが、本発明は、実施形態に記載したものに限られることなく、特許請求の範囲に記載した事項の範囲内でのさまざまな設計変更が可能である。例えば、前方基部材４の手当接部４２は正面視円形状の全面に亘って形成されるのではなく、手が実質的に触れる上部の一部だけが形成されて骨格部４１に固着されてもよい。この場合、手当接部４２が形成されない部分は、骨格部４１の一部が延びて形成されることになる。
【図面の簡単な説明】
【００３３】
【図１】本発明の実施形態に係る遊技機用操作ハンドルの正面図である。
【図２】同上の遊技機用操作ハンドルの側面図である。
【図３】同上の遊技機用操作ハンドルの側面視断面図である。
【符号の説明】
【００３４】
１    遊技起用操作ハンドル
２    後方基部材
３    回動操作部材
４    前方基部材
４１  前方基部材の骨格部
４２  前方基部材の手当接部（成型体）
【図１】
2008167771.tif 000003
【図２】
2008167771.tif 000004
【図３】
2008167771.tif 000005